(57)【特許請求の範囲】
【請求項１】
光源からの出射光を光記録媒体に収束させる対物レンズを保持するレンズホルダと、該レンズホルダをフォーカシング方向およびトラッキング方向に移動可能に支持するフレームと、該フレーム上で光軸周りの調整が必要な光学部品とを有する光ヘッド装置において、
前記光学部品には、該光学部品を光軸周りに回転させたときに摺動面となる円筒部と、前記光学部品の外周面には該光学部品を光軸周りに回転させるための治具が差し込まれる治具差し込み穴とが形成されている一方、前記フレームには、前記円筒部を受けて前記光学部品が光軸周りに回転するときのガイド面となる受け面が形成され、
前記治具差し込み穴は、前記光軸に対して直交する方向に切断したときの断面において開口縁よりも当該光学部品の回転中心側の方で幅が広くなっていることを特徴とする光ヘッド装置。
【請求項２】
請求項１において、前記治具差し込み穴の奥端面は、中央部分が前記光学部品の回転中心に向かって凹んでいることを特徴とする光ヘッド装置。
【請求項３】
請求項１または２において、前記光学部品は、光学素子を保持する円筒状のホルダとを備え、
該ホルダの外周面が前記円筒部として前記受け面で支持されていることを特徴とする光ヘッド装置。
【請求項４】
請求項１ないし３のいずれかにおいて、前記光学部品は、回折格子を備えていることを特徴とする光ヘッド装置。
【発明の詳細な説明】
【０００１】
【発明の属する技術分野】
本発明は、ＣＤ（コンパクトディスク）やＤＶＤ（ディジタルバーサタイルディスク）等の光記録媒体の記録、再生に用いられる光ヘッド装置に関するものである。さらに詳しくは、光ヘッド装置のフレーム上で光学部品の角度位置を調整するための機構に関するものである。
【０００２】
【従来の技術】
ＣＤやＤＶＤ等の光記録媒体の記録、再生に用いられる光ヘッド装置には、光源からの出射光を光記録媒体に収束させる対物レンズを保持するレンズホルダと、このレンズホルダをフォーカシング方向およびトラッキング方向に移動可能に支持するフレームと、このフレームとレンズホルダとの間に発生させた磁力によって対物レンズをトラッキング方向およびフォーカシング方向に駆動する磁気駆動回路とが構成されている。
【０００３】
この種の光ヘッド装置では、一般に、フレーム上に各種の光学部品が搭載されている。たとえば、図１に示すものでは、フレーム３上に、ＤＶＤ用のレーザダイオード４、ＣＤ用のレーザダイオード５、導光系２０、立ち上げミラー８、コリメートレンズ７、センサレンズ１０、光検出器１１が搭載されている。
【０００４】
また、フレーム３上において、ＣＤ用レーザダイオード５の前方位置には、回折格子１２も搭載されている。この回折格子１２は、所定の回折特性が付与されており、ＣＤ用レーザダイオード５から出射されたレーザ光を３ビームに分割してトラッキングエラー検出用に用いる。このため、回折格子１２については、それを光軸周りに回転させて角度調整（グレーティング調整）を行う必要がある。このような角度調整は、回折格子１２をフレーム上に搭載した状態で再生信号をモニターし、このモニター結果を見ながら回折格子１２を光軸Ｌ２０回りに回転させてグレーティング調整を行う。
【０００５】
このようなグレーティング調整を行うために、図３（Ａ）に示すように、グレーティグレンズ１２が固着された円筒状のホルダ５０の下面には、ホルダ５０を光軸Ｌ２０周りに回転させるための角度調整用の治具が差し込まれる治具差し込み穴５１が溝状に形成されている。これに対して、フレーム３には、円筒状のホルダ３０の側面部を受けてこのホルダ３０が光軸Ｌ２０周りに回転するときのガイド面となる受け面３１が形成されている。また、フレーム３においてホルダ５０の真下位置には、フレーム３の下側から角度調整用の治具の偏芯軸をホルダ５０の治具差し込み穴５１に通す治具挿通穴３２が形成されている。
【０００６】
ここで、治具差し込み穴５１は、従来、光軸Ｌ２０に対して直交するようにホルダ５０を切断したとき、図６（Ａ）に示すように、幅の等しいストレートな穴として形成されている。このような治具差し込み穴５１を利用してホルダ５０を光軸Ｌ２０周りに回転させるときには、角度調整用の治具６０の偏芯軸６１を治具差し込み穴５１に差し込み、この状態から治具６０を軸線Ｌ０周りに回転させる。その結果、図６（Ｂ）に示すように、偏芯軸６１は、治具６０の軸線Ｌ０から遠ざかるので、ホルダ５０の治具差し込み穴５１の内壁に当り、レンズホルダ５０を、矢印Ａで示すように、光軸Ｌ２０周りに回転させる。このとき、回折格子１２も光軸Ｌ２０周りに回転するので、回折格子１２に対するグレーティング調整を行うことができる。
【０００７】
【発明が解決しようとする課題】
しかしながら、従来の光ヘッド装置において、光軸Ｌ２０に対して直交する断面で治具差し込み穴５１をみたとき、この治具差し込み穴５１は、深さ方向で等しい溝幅を有しているため、偏芯軸６１が長い場合には、ホルダ５０が光軸Ｌ２０周りに回転して治具差し込み穴５１が傾くほど、偏芯軸６１がホルダ５０に突き当たるのは治具差し込み穴５１の奥の方、すなわち、光軸Ｌ２０にかなり近い位置となる。従って、ホルダ５０の回転中心（光軸Ｌ２０）から短い距離の所に力を加えることになるので、ホルダ５０を回転させるのに大きなトルクが必要であるという問題点がある。
【０００８】
そこで、図７（Ａ）に示すように、偏芯軸６１を短くする方法が考えられるが、偏芯軸６１が短い場合には、図７（Ｂ）に示すように、ホルダ５０をわずかに回転させただけで偏芯軸６１が治具差し込み穴５１から抜け出てしまうので、ホルダ５０の角度位置を調整できる範囲がかなり狭くなってしまうという問題点がある。
【０００９】
以上の問題点に鑑みて、本発明の課題は、光学部品の角度調整を小さなトルクで、かつ、十分な範囲で行うことのできる光ヘッド装置を提供することにある。
【００１０】
【課題を解決するための手段】
上記課題を解決するため、本発明では、光源からの出射光を光記録媒体に収束させる対物レンズを保持するレンズホルダと、該レンズホルダをフォーカシング方向およびトラッキング方向に移動可能に支持するフレームと、該フレーム上で光軸周りの調整が必要な光学部品とを有する光ヘッド装置において、前記光学部品には、該光学部品を光軸周りに回転させたときに摺動面となる円筒部と、前記光学部品の外周面には該光学部品を光軸周りに回転させるための治具が差し込まれる治具差し込み穴とが形成されている一方、前記フレームには、前記円筒部を受けて前記光学部品が光軸周りに回転するときのガイド面となる受け面が形成され、前記治具差し込み穴は、前記光軸に対して直交する方向に切断したときの断面において開口縁よりも当該光学部品の回転中心側の方で幅が広くなっていることを特徴とする。
【００１１】
本発明において、前記光学部品の治具差し込み穴に治具を差し込んでこの治具を光軸に対して直交する方向に移動させると、治具は、治具差し込み穴内で前記光学部品に当接してこの光学部品を光軸周りに回転させる。このとき、治具差し込み穴は、光軸に対して直交する方向に切断したときの断面において開口縁よりも当該光学部品の回転中心側の方で幅が広くなっているため、治具と光学部品とが接する部分は、治具差し込み穴の開口縁の部分であり、この部分であれば、光学部品の回転中心から離れている。このため、小さなトルクで光学部品を光軸周りに回転させることができる。従って、治具として、たとえば回転体の中心からずれた位置で偏芯軸が直立しているような簡単な構成のものを用いることができ、このような治具であれば、光学部品の角度調整を容易に行うことができる。しかも、本発明では、治具差し込み穴内への治具の差し込み深さが長くても、治具と光学部品とが接する部分は、治具差し込み穴の開口縁の部分であるため、トルクの増大を招かない。それ故、治具が治具差し込み穴内に深く入り込んだ構造を採用でき、このような構造によれば、光学素子が光軸周りに大きく回転しても、治具は治具差し込み穴内から抜け出ることがないので、角度調整範囲が広い。
【００１２】
本発明において、前記治具差し込み穴の奥端面は、中央部分が前記光学部品の回転中心に向かって凹んでいることが好ましい。このように構成すると、治具が治具差し込み穴内に深く入り込んだ構造を採用して角度調整範囲を広く設定しても、治具の先端部が治具差し込み穴の奥端面と干渉することがない。
【００１３】
本発明において、前記光学部品は、光学素子自身に前記円筒部および前記治具差し込み穴が形成されている構成であってもよいが、前記光学部品が光学素子を保持する円筒状のホルダとを備え、該ホルダの外周面が前記円筒部として前記受け面で支持されている構成であってもよい。
【００１４】
本発明において、光ヘッド装置で光軸周りの調整が必要な光学部品としては、例えば回折格子がある。
【００１５】
【発明の実施の形態】
以下に図面を参照して本発明を適用した光ヘッド装置を説明する。
【００１６】
（全体構成）
図１は、ＣＤ、ＣＤ−Ｒ、およびＤＶＤの記録再生を行う光ヘッド装置の要部の平面図である。図２は、この光ヘッド装置の光学系の要部を模式的に示す縦断面図である。
【００１７】
図１および図２に示すように、光ヘッド装置１は金属製あるいはプラスチック製のフレーム３を有している。このフレーム３は、機器に対して相互に平行となるように取り付けた２本のガイドシャフト２Ａ、２Ｂが連結部３０１、３０２、３０３に通されていることにより、ガイドシャフト２Ａ、２Ｂに沿って移動可能である。このフレーム３上には、以下に説明する光学系が構成されている。
【００１８】
光ヘッド装置１の光学系は、第１のレーザ光Ｌ１を出射するＤＶＤ用のレーザダイオード４と、第２のレーザ光Ｌ２を出射するＣＤ用のレーザダイオード５とを備え、各レーザダイオード４、５から出射された第１および第２のレーザ光Ｌ１、Ｌ２を共通光路６に導き、この共通光路６を利用してＣＤ、ＣＤ−Ｒ、およびＤＶＤの全ての記録再生を行うことができるようになっている。
【００１９】
共通光路６は、フレーム３上に搭載された光検出器１１、センサレンズ１０、導光系２０、コリメートレンズ７、および立ち上げミラー８と、立ち上げミラー８の上方に配列された対物レンズ９とによって規定されている。
【００２０】
ＤＶＤ用レーザダイオード４はＤＶＤの記録再生用であり、波長６５０ｎｍあるいは６３５ｎｍの第１のレーザ光Ｌ１を出射する。一方、ＣＤ用レーザダイオード５は、ＣＤおよびＣＤ−Ｒの記録再生用であり、波長７８０〜８００ｎｍの第２のレーザ光Ｌ２を出射する。レーザダイオード４、５は、共通光路６の導光系２０の同一の側において、相互の光軸Ｌ１０、Ｌ２０が平行となるように配列されている。ここに図示の例では、ＤＶＤ用レーザダイオード４の方がＣＤ用レーザダイオード５よりも光検出器１１の側に配置されている。
【００２１】
ＤＶＤ用レーザダイオード４から出射された第１のレーザ光Ｌ１は直接、導光系２０に入射する。一方、ＣＤ用レーザダイオード５から出射された第２のレーザ光Ｌ２は、回折格子１２を介して導光系２０に入射する。
【００２２】
回折格子１２は、所定の回折特性が付与されており、ＣＤ用レーザダイオード５から出射された第２のレーザ光Ｌ２を３ビームに分割する。このようにＣＤおよびＣＤ−Ｒの記録再生用の第２のレーザ光Ｌ２を３つのレーザビームに分割することにより、周知の３ビーム法によってトラッキングエラー検出を行う。
【００２３】
ここで、ＤＶＤ用のレーザダイオード４は、フレーム３に形成されている穴３０５の入口部分に配置され、この穴３０５を通して第１のレーザ光Ｌ１を導光系２０に出射する。ＣＤ用のレーザダイオード５は、フレーム３に形成されている穴３０６の入口部分に配置され、この穴３０６を通して第２のレーザ光Ｌ２を回折格子１２を介して導光系２０に出射する。また、ＣＤ用のレーザダイオード５は、それが固着されたヒートシンク４０がフレーム３の側面３１３に対して接着材３１０により接着固定されていることにより、フレーム３に搭載されている。
【００２４】
導光系２０は、部分反射面を備えたハーフミラー２１と、部分反射面を備えたプリズム２２とから構成されている。ハーフミラー２１は、その部分反射面がレーザダイオード４から出射された第１のレーザ光Ｌ１の光軸Ｌ１０に対して４５度傾斜した状態となるように配置されている。プリズム２２は、その部分反射面がレーザダイオード５から出射された第２のレーザ光Ｌ２の光軸Ｌ２０に対して４５度傾斜した状態となるように配置されている。
【００２５】
このように構成した本例の光ヘッド装置１において、ハーフミラー２１に入射するＤＶＤ用の第１のレーザ光Ｌ１は、ハーフミラー２１の部分反射面によってほぼ半分の光成分が反射され、反射光は、その光軸が９０度折り曲げられてプリズム２２の部分反射面に入射する。そして、この部分反射面に入射したレーザ光Ｌ１の大部分はそのまま透過して立ち上げミラー８に向かう。一方、プリズム２２に入射するＣＤ用の第２のレーザ光Ｌ２は、プリズム２２の部分反射面によってほぼ半分の光成分が反射され、その光軸が９０度折り曲げられて立ち上げミラー８に入射する。このようにハーフミラー２１およびプリズム２２で構成される導光系２０によって第１および第２のレーザ光Ｌ１、Ｌ２が共に共通光路６に導かれる。
【００２６】
導光系２０によって共通光路６に導かれたＤＶＤ用のレーザ光Ｌ１、およびＣＤ用のレーザ光Ｌ２は、立ち上げミラー８によって直角に反射された後、コリメートレンズ７によって平行光束に変換される。平行光束とされたレーザ光Ｌ１、Ｌ２は、対物レンズ９に導かれ、この対物レンズ９を介して、ＤＶＤ用のレーザ光Ｌ１は光記録媒体であるＤＶＤの記録面に光スポットとして集光する。また、ＣＤ用のレーザ光Ｌ２は光記録媒体であるＣＤあるいはＣＤ−Ｒの記録面に光スポットとして集光する。
【００２７】
光記録媒体で反射したレーザ光Ｌ１、Ｌ２の戻り光は、対物レンズ９、コリメートレンズ７、および立ち上げミラー８を戻り、再び導光系２０に戻る。これらの戻り光のうち、ＤＶＤ用のレーザ光Ｌ１の戻り光は、大部分がプリズム２２の部分反射面をそのまま透過してハーフミラー２１に戻る。そして、ハーフミラー２１の部分反射面を通ってその半分が透過してセンサレンズ１０に入射する。一方、ＣＤ用のレーザ光Ｌ２の戻り光は、プリズム２２の部分反射面を通ってその半分が透過してハーフミラー２１に戻る。そして、ハーフミラー２１の部分反射面をそのまま透過してセンサレンズ１０に入射する。その後、各戻り光は、センサレンズ１０を通って共通の光検出器１１に集光する。
【００２８】
ここで、センサレンズ１０は、双方のレーザ光Ｌ１、Ｌ２の戻り光に対して非点収差を発生させるためのレンズである。このため、光検出器１１によって検出されるＤＶＤ用のレーザ光Ｌ１、およびＣＤ用のレーザ光Ｌ２の戻り光は、センサレンズ１０を通ることにより非点収差が付与される。このため、周知の通り、光検出器１１に４分割受光素子を形成することにより、これらの受光素子の光電流量からフォーカシング補正を行うことができる。
【００２９】
本形態において、センサーレンズ１０は、フレーム３に形成されている穴３０７の出口部分に配置され、この穴３０７を通してハーフミラー２１を透過してきた光を検出する。また、センサーレンズ１０の後方において、光検出器１１が実装された回路基板１１０は、フレーム３の側面３１１に対して接着材３１２により接着固定され、それにより光検出器１１はフレーム３に搭載されている。
【００３０】
このように構成した光ヘッド装置１において、対物レンズ９をフォーカシング方向およびトラッキング方向に駆動する対物レンズ駆動装置７０は、対物レンズ９を保持したレンズホルダ７１を有している。このレンズホルダ７１は、円筒状の胴部７２と、この胴部７２の内側に形成された円筒状の軸受け部７３を備えている。胴部７２の外周面には一対のトラッキング駆動用コイル８１と、一対のフォーカシング駆動用コイル８２が構成されている。
【００３１】
また、フレーム３に保持されているホルダ支持部材３５の底壁からは支軸９１が直立し、この支軸９１はレンズホルダ７１の軸受け部７３の内側に差し込まれている。ホルダ支持部材３５には外壁３５６および内壁３５７が形成され、外壁３５６にはトラッキング用駆動コイル８０と対峙してトラッキング磁気回路を構成する一対のトラッキング用駆動マグネット８３が取り付けられている。従って、レンズホルダ７１を支軸９１の回りに回転させ、トラッキングエラー補正を行うことができる。
【００３２】
また、外壁３５６にはフォーカシング用駆動コイル８２に対峙してフォーカシング磁気回路を構成する一対のフォーカシング用駆動マグネット８４が取り付けられている。従って、レンズホルダ７１を支軸９１の軸線方向に移動させ、フォーカシングエラー補正を行うことができる。
【００３３】
なお、レンズホルダ７１には、ホルダ支持部材３５の切り起こし部３５９に途中位置が支持されたフレキシブル基板７７が接続されている。
【００３４】
（回折格子に対する角度調整機構）
図３（Ａ）、（Ｂ）はそれぞれ、図１に示す光ヘッド装置１のフレーム３において、回折格子１２を角度調整するための機構を示す斜視図、およびこの回折格子１２を保持するホルダ５０の光出射側端部の断面図である。図４（Ａ）、（Ｂ）はそれぞれ、図１に光ヘッド装置１において、本発明を適用した角度調整機構を光軸Ｌ２０に対して直交する方向で切断したときの断面図、およびこの調整機構においてホルダ５０（回折格子１２）の角度調整を行う様子を示す断面図である。
【００３５】
光ヘッド装置１において、図１に示す回折格子１２は、所定の回折特性が付与されており、ＣＤ用レーザダイオード５から出射されたレーザ光を３ビームに分割してトラッキングエラー検出用に用いる。このため、回折格子１２については、それを光軸周りに回転させて角度調整（グレーティング調整）機構が構成されている。
【００３６】
このような角度調整機構として、本形態では、以下の構成が採用されている。まず、回折格子１２は、図３（Ａ）に示すように、円筒状のホルダ５０の前端面（出射側端面）に固着されて一体の光学部品１２′を構成している。また、ホルダ５０の下面には、ホルダ５０を光軸Ｌ２０周りに回転させるための角度調整用の治具（後述する）が差し込まれる治具差し込み穴５１が溝状に形成されている。これに対して、フレーム３には、円筒状のホルダ３０の側面部を受けてこのホルダ３０が光軸Ｌ２０周りに回転したときのガイド面となる受け面３１が形成されている。また、フレーム３においてホルダ５０の真下位置には、フレーム３の下側から、後述する偏芯軸をホルダ５０の治具差し込み穴５１に通す治具挿通穴３２が形成されている。
【００３７】
ここで、フレーム３では、受け面３１に隣接する位置に、一段高いばね取り付け部３６が形成されており、そこに押さえばね３７をねじで止めると、ホルダ５０は、押さえばね３７によってホルダ３の受け面３１に押し付け固定される。また、フレーム３において、受け面３１の奥には垂直壁３８が形成され、この垂直壁３８にホルダ５０の光出射側の端面５５が突き当たる。また、押さえばね３７には、ホルダ３の光入射側の端面５６を弾性をもって垂直壁３８に向けて押し付ける爪部３７１が形成されている。このため、受け面３１上に搭載されたホルダ５０は、垂直壁３８と押さえばね３７の爪部３７１とによって光軸Ｌ２０方向における位置が規定される。
【００３８】
なお、ホルダ５０の光出射側では、図３（Ｂ）に示すように、回折格子１２の周りで突出する突起５５１によって端面５５が形成されているので、回折格子１２が垂直壁３８に直接、接することはない。
【００３９】
このように構成した角度調整機構において、本形態では、治具差し込み穴５１として、光軸Ｌ２０に対して直交するようにホルダ５０を切断したとき、図４（Ａ）に示すように、開口縁５１１よりもホルダ５０の回転中心（光軸中心Ｌ２）側の方で幅が広くなっている台形形状の溝が形成されている。すなわち、開口縁５１１における治具差し込み穴５１の幅をＷ１とし、その奥端面５１２における治具差し込み穴５１の幅をＷ２とすると、Ｗ１、Ｗ２は、下式
Ｗ１＜Ｗ２
を満たしている。
【００４０】
このような治具差し込み穴５１を利用してホルダ５０を光軸Ｌ２０周りに回転させるときには、角度調整用の治具６０の偏芯軸６１を治具差し込み穴５１に差し込み、この状態から治具６０を軸線Ｌ０周りに回転させる。その結果、図４（Ｂ）に示すように、偏芯軸６１は、治具６０の軸線Ｌ０から遠ざかるのでホルダ５０の治具差し込み穴５１の内側に当り、レンズホルダ５０を、矢印Ａで示すように、光軸Ｌ２０周りに回転させる。このとき、回折格子１２も光軸Ｌ２０周りに回転するので、回折格子１２に対するグレーティング調整を行うことができる。
【００４１】
ここで、治具差し込み穴５１は、光軸Ｌ２０に対して直交する方向に切断したときの断面において開口縁５１１よりもホルダ５０の回転中心（光軸Ｌ２０）の側の方で幅が広くなっているため、偏芯軸６１とホルダ５０とが接する部分は、常に、治具差し込み穴５１の開口縁５１１の部分であり、この部分であれば、ホルダ５０の回転中心（光軸Ｌ２０）から離れている。このため、常に小さなトルクでホルダ５０（回折格子１２）を光軸Ｌ２０周りに回転させることができる。従って、治具６０として、回転ディスク６３の回転中心軸Ｌ０からずれた位置で偏芯軸６１が直立しているような簡単な構成のものを用いることができ、このような治具６０であれば、ホルダ５０（回折格子１２）の角度調整を容易に行うことができる。しかも、本形態では、治具差し込み穴５１内への治具６０（偏芯軸６１）の差し込み深さが長くても、偏芯軸６１とホルダ５０とが接する部分は、治具差し込み穴５１の開口縁５１１の部分であり、トルクの増大を招かない。それ故、治具６０が治具差し込み穴５１内に深く入り込んだ構造を採用でき、このような構造によれば、ホルダ５０（回折格子１２）が光軸Ｌ２０周りに大きく回転しても、治具６０の偏芯軸６１は治具差し込み穴５１内から抜け出ることがないので、角度調整範囲が広い。
【００４２】
（その他の実施の形態）
なお、治具６０の偏芯軸６１が治具差し込み穴５１の内側にさらに深く入り込んだ構造を採用することにより、角度調整範囲をさらに広く設定する場合には、図５に示すように、治具差し込み穴５１の奥端面６１２をホルダ５０（回折格子１２）の光軸Ｌ２０に向かって円弧状に凹ませれば、治具６０の偏芯軸６１と治具差し込み穴５１の内面とが干渉することがない。
【００４３】
また、上記形態では、回折格子１２とホルダ５０とを一体にした部品を例に説明したが、回折格子１２の他にも、光軸周りの角度調整が必要な光学部品に対して本発明を適用することができる。
【００４４】
さらに、回折格子１２（光学素子）とホルダ５０とを一体にした部品に限らず、フレーム３に対して光学素子が直接、搭載されている部分に対して本発明を適用してもよく、この場合には、光学素子自身に治具差し込み穴を形成すればよい。
【００４５】
【発明の効果】
以上説明したように、本発明の光ヘッド装置では、光学部品を光軸周りに回転させる治具を差し込むための治具差し込み穴は、開口縁よりも回転中心側の方で幅が広くなっているため、治具と光学部品とが接する部分は、治具差し込み穴の開口縁の部分であり、この部分であれば、光学部品の回転中心から離れている。このため、小さなトルクで光学部品を光軸周りに回転させることができる。従って、角度調整用の治具として、たとえば回転体の中心からずれた位置で偏芯軸が直立しているようなものを用いることができ、このような治具であれば、光学部品の角度調整を容易に行うことができる。しかも、治具差し込み穴内への治具の差し込み深さが長くてもトルクの増大を招かないので、治具が治具差し込み穴内に深く入り込んだ構造を採用でき、このような構造によれば、光学素子が光軸周りに大きく回転しても、治具は治具差し込み穴内から抜け出ることがないので、角度調整範囲が広い。
【図面の簡単な説明】
【図１】本発明が適用される光ヘッド装置の要部の平面図である。
【図２】図１に示す光ヘッド装置の光学系の要部を模式的に示す縦断面図である。
【図３】（Ａ）、（Ｂ）はそれぞれ、図１に示す光ヘッド装置のフレームにおいて、回折格子を角度調整するための機構を示す斜視図、および回折格子を保持するホルダの光出射側端部の断面図である。
【図４】（Ａ）、（Ｂ）はそれぞれ、図１に示す光ヘッド装置において、本発明を適用した角度調整機構を光軸に対して直交する方向で切断したときの断面図、およびこの調整機構においてホルダ（回折格子）の角度調整を行なっている様子を示す断面図である。
【図５】図１に光ヘッドにおいて、本発明を適用した別の角度調整機構を光軸に対して直交する方向で切断したときの断面図である。
【図６】（Ａ）、（Ｂ）はそれぞれ、図１に示す光ヘッド装置において、従来の角度調整機構を光軸に対して直交する方向で切断したときの断面図、およびこの調整機構においてホルダ（回折格子）の角度調整を行なっている様子を示す断面図である。
【図７】（Ａ）、（Ｂ）はそれぞれ、図１に示す光ヘッド装置において、別の従来の角度調整機構を光軸に対して直交する方向で切断したときの断面図、およびこの調整機構においてホルダ（回折格子）の角度調整を行なっている様子を示す断面図である。
【符号の説明】
１  光ヘッド装置
２Ａ、２Ｂ  ガイドシャフト
３  フレーム
４  ＤＶＤ用のレーザダイオード
５  ＣＤ用のレーザダイオード
６  共通光路
７  コリメートレンズ
８  立ち上げミラー
９  対物レンズ
１０  センサレンズ
１１  光検出器
１２  回折格子（光学素子）
１２′  光学部品
２０  導光系
２１  ハーフミラー
２２  プリズム
３５  ホルダ支持部材
３１  ホルダを受けるフレームの受け面
３２  治具挿通穴
３６  ばね取り付け部
３７  押さえばね
３８  垂直壁
５０  円筒状のホルダ
５１  治具差し込み穴
５５  ホルダの光出射側の端面
５６  ホルダ３の光入射側の端面
６０  角度調整用の治具
６１  治具の偏芯軸
６３  治具の回転ディスク
７０  対物レンズ駆動装置
７１  レンズホルダ
７２  レンズホルダの胴部
７３  レンズホルダの軸受け部
８１  トラッキング駆動用コイル
８２  フォーカシング駆動用コイル
８３  トラッキング用駆動マグネット
８４  フォーカシング用駆動マグネット
９１  支軸
３０５、３０７、３０８  光を通すためのフレームの穴
３１１、３１３  フレームの側面
３１０、３１２  接着材
３５６  ホルダ支持部材の外壁
３５７  ホルダ支持部材の内壁
３７１  押さえばねの爪部
５１１  治具差し込み穴の開口縁
５１２  治具差し込み穴の奥端面
Ｌ０  治具の回転中心軸線
Ｌ１  第１のレーザ光
Ｌ２  第２のレーザ光
Ｌ１０  第１のレーザ光の光軸
Ｌ２０  第２のレーザ光の光軸
【図１】
0003655530.tif 000002
【図２】
0003655530.tif 000003
【図３】
0003655530.tif 000004
【図４】
0003655530.tif 000005
【図５】
0003655530.tif 000006
【図６】
0003655530.tif 000007
【図７】
0003655530.tif 000008